(57)【要約】【課題】簡単な構成で、適切な距離で撮影を行うことができると共に、より効果的な撮影を行うこと。【解決手段】撮像装置１は、被写体と共に移動する携帯端末２と無線通信可能な撮像装置である。また、撮像装置１は、通信状態判定部５１と、撮影制御部５３と、を備える。通信状態判定部５１は、携帯端末２との間で行われる無線通信の電波強度を含む無線通信状態を特定する。撮影制御部５３は、通信状態判定部５１によって特定された電波強度に応じて当該撮像装置による撮影タイミング以外の撮影条件を制御する。したがって、撮像装置１では、簡単な構成で、適切な距離で撮影を行うことができると共に、より効果的な撮影を行うことができる。【選択図】図４
2018056779.tif 000002
【特許請求の範囲】
【請求項１】
被写体と共に移動する端末装置と無線通信可能な撮像装置であって、
前記端末装置との間で行われる無線通信の電波強度を含む無線通信状態を特定する特定手段と、
前記特定手段によって特定された電波強度に応じて当該撮像装置による撮影タイミング以外の撮影条件を制御する制御手段と、
を備えることを特徴とする撮像装置。
【請求項２】
前記制御手段は、前記特定手段によって特定された無線通信状態に応じて撮影タイミングを決定するとともに、この特定された無線通信状態が示す電波強度に応じて、撮影タイミング以外の撮影条件を複数段階で制御する、
ことを特徴とする請求項１に記載の撮像装置。
【請求項３】
前記制御手段は、前記特定手段によって特定された電波強度に応じて、撮影頻度または撮影回数の撮影条件を制御する、
ことを特徴とする請求項１又は２に記載の撮像装置。
【請求項４】
前記特定手段は、複数の端末装置の各々から発せられる無線信号の電波強度を特定し、
前記制御手段は、前記特定手段によって特定された複数の電波強度に応じて前記撮影条件を制御する、
ことを特徴とする請求項１乃至３の何れか１項に記載の撮像装置。
【請求項５】
前記制御手段は、複数の端末装置の各々から発せられる複数の無線信号の電波強度に応じて撮影頻度または撮影回数の撮影条件を制御する、
ことを特徴とする請求項４に記載の撮像装置。
【請求項６】
前記制御手段は、複数の端末装置のうちの所定以上が所定以上の電波強度である場合に、撮影頻度または撮影回数が多くなるように制御する、
ことを特徴とする請求項５に記載の撮像装置。
【請求項７】
予め無線通信を行う端末装置を登録する登録手段を更に備え、
前記特定手段は、前記無線通信状態として、無線通信の電波強度に加えて、無線信号を発する端末装置の台数、または無線信号を発する端末装置の前記登録手段による登録状態を特定し、
前記制御手段は、前記特定手段によって特定された無線通信の電波強度に加えて、無線信号を発する端末装置の台数、または無線信号を発する端末装置の前記登録手段による登録状態に応じて、撮影タイミング以外の撮影条件を複数段階で制御する、
ことを特徴とする請求項１乃至６の何れか１項に記載の撮像装置。
【請求項８】
前記特定手段は、前記端末装置から一斉同報通信される無線信号を他の撮像装置と共に受信した際の電波強度を特定し、
前記制御手段は、前記特定手段によって特定された電波強度に応じて前記撮影条件を制御する、
ことを特徴とする請求項１乃至７の何れか１項に記載の撮像装置。
【請求項９】
被写体と共に移動する端末装置と、当該端末装置と無線通信可能な撮像装置と、を含む撮影システムであって、
前記端末装置と前記撮像装置との間で行われる無線通信の電波強度を含む無線通信状態を特定し、
特定した電波強度に応じて、前記撮像装置による撮影タイミング以外の撮影条件を制御する、
ことを特徴とする撮影システム。
【請求項１０】
被写体と共に移動する端末装置と無線通信可能な撮像装置で実行される撮影制御方法あって、
前記端末装置との間で行われる無線通信の電波強度を含む無線通信状態を特定する特定処理と、
前記特定処理によって特定された電波強度に応じて当該撮像装置による撮影タイミング以外の撮影条件を制御する制御処理と、
を含むことを特徴とする撮影制御方法。
【請求項１１】
被写体と共に移動する端末装置と無線通信可能な撮像装置を制御するコンピュータに、
前記端末装置との間で行われる無線通信の電波強度を含む無線通信状態を特定する特定機能と、
前記特定機能によって特定された電波強度に応じて当該撮像装置による撮影タイミング以外の撮影条件を制御する制御機能と、
を実行させることを特徴とするプログラム。
【発明の詳細な説明】
【技術分野】
【０００１】
本発明は、撮像装置、撮影システム、撮影制御方法及びプログラムに関する。
【背景技術】
【０００２】
従来、被写体と共に移動する端末装置から発せられる無線信号を受信した撮像装置が、その無線信号の電波強度に応じたタイミングで撮像を行うことにより、ＧＰＳ（Ｇｌｏｂａｌ  Ｐｏｓｉｔｉｏｎｉｎｇ  Ｓｙｓｔｅｍ）等を用いなくても被写体と撮像装置とが適切な距離で撮影を行うことを可能にした撮像システムの技術が知られている（例えば、特許文献１参照）
【先行技術文献】
【特許文献】
【０００３】
【特許文献１】特開２０１４−２２５８３１号公報
【発明の概要】
【発明が解決しようとする課題】
【０００４】
しかしながら、上述した特許文献１に記載の技術においては、ＧＰＳ等を用いなくとも被写体と撮像装置とが適切な距離で撮影を行うことができるが、被写体と撮像装置との距離を適正にするだけでは、より効果的な撮影を行うためには不十分であった。
【０００５】
本発明は、このような状況に鑑みてなされたものであり、簡単な構成で、適切な距離で撮影を行うことができると共に、より効果的な撮影を行うことができることを目的とする。
【課題を解決するための手段】
【０００６】
上記目的を達成するため、本発明の一態様の撮像装置は、
被写体と共に移動する端末装置と無線通信可能な撮像装置であって、
前記端末装置との間で行われる無線通信の電波強度を含む無線通信状態を特定する特定手段と、
前記特定手段によって特定された電波強度に応じて当該撮像装置による撮影タイミング以外の撮影条件を制御する制御手段と、
を備えたことを特徴とする。
【発明の効果】
【０００７】
本発明によれば、簡単な構成で、適切な距離で撮影を行うことができると共に、より効果的な撮影を行うことができる。
【図面の簡単な説明】
【０００８】
【図１】本発明の一実施形態に係る撮影システムＳのシステム構成を示すシステム構成図である。
【図２】本発明の一実施形態に係る撮像装置１のハードウェアの構成を示すブロック図である。
【図３】撮影条件判定テーブルを説明するための模式図である。
【図４】図２の撮像装置１の機能的構成のうち、撮影処理を実行するための機能的構成を示す機能ブロック図である。
【図５】図４の機能的構成を有する図２の撮像装置１が実行する撮影処理の流れを説明するフローチャートである。
【発明を実施するための形態】
【０００９】
以下、本発明の実施形態について、図面を用いて説明する。
【００１０】
図１は、本発明の一実施形態に係る撮影システムＳのシステム構成を示すシステム構成図である。
撮影システムＳは、図１に示すように、撮像装置１と、複数の携帯端末２と、を含む。
撮像装置１は、撮影機能と、携帯端末２との間で近距離無線通信を行う通信機能と、を有する。
携帯端末２は、撮像装置１との間で近距離無線通信を行う通信機能と、を有する。
なお、近距離無線通信は、ＢＬＥ通信であり、撮像装置１がＢＬＥ接続におけるセントラルとして機能し、携帯端末２がＢＬＥ接続におけるペリフェラルとして機能する。即ち、携帯端末２が送信するアドバタイジングパケットに撮像装置１が応答することで通信接続を開始する。
【００１１】
撮影システムＳでは、撮像装置１に対して、携帯端末２が通信範囲内にある場合（撮像装置１が携帯端末２からのアドバタイジングパケットを受信した場合）に、所定の無線通信の条件（例えば、通信可能台数、電波強度等）を満たすことで、撮像装置１で撮影が行われる。
また、所定の無線通信の条件に応じた撮影条件が設定される。設定される撮影条件は、動画撮影の場合には、例えば、フレームレート、撮影時間、ズーム倍率、絞り等の設定であり、静止画撮影の場合には、撮影頻度、撮影回数、ズーム倍率、絞り等の設定である。
【００１２】
具体的な撮影例としては、携帯端末２と撮像装置１との電波強度が高く、近い距離に携帯端末２と撮像装置１とがある場合には、撮影を行うようにしたり、より鮮明に撮影を行うようにしたりする撮影条件を設定する。
【００１３】
図２は、本発明の一実施形態に係る撮像装置１のハードウェアの構成を示すブロック図である。
撮像装置１は、例えば、デジタルカメラとして構成される。
【００１４】
撮像装置１は、図２に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１５】
ＣＰＵ１１は、ＲＯＭ１２に記録されているプログラム、又は、記憶部１９からＲＡＭ１３にロードされたプログラムに従って各種の処理を実行する。
【００１６】
ＲＡＭ１３には、ＣＰＵ１１が各種の処理を実行する上において必要なデータ等も適宜記憶される。
【００１７】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１８】
撮像部１６は、図示はしないが、光学レンズ部と、イメージセンサと、を備えている。
【００１９】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２０】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００２１】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００２２】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２３】
携帯端末２は、例えば、タブレット端末により構成される。
携帯端末２は、ＣＰＵ１１乃至リムーバブルメディア３１を備える。撮像装置１と携帯端末２のＣＰＵ１１乃至リムーバブルメディア３１は、撮像装置１と同一のハードウェア構成であるため、説明を省略する。
以下において、撮像装置１と携帯端末２の別を説明する場合には、撮像装置１の場合には、符号の末尾に「−１」を付し、携帯端末２の場合には、符号の末尾に「−２」を付す。即ち、撮像装置１の場合には、ＣＰＵ１１−１乃至リムーバブルメディア３１−１とし、携帯端末２の場合には、ＣＰＵ１１−２乃至リムーバブルメディア３１−２として説明を行う。
【００２４】
図３は、撮影条件判定テーブルを説明するための模式図である。
撮影条件判定テーブルは、図２に示すように、携帯端末２との無線通信状態に応じて、設定する撮影条件を判定するためのテーブルである。なお、本実施形態の電波強度は、電波強度（Ｌｅｖｅｌ）０〜電波強度（Ｌｅｖｅｌ）３としており、それぞれ、電波強度（Ｌｅｖｅｌ）０：〜−１００ｄｂＭ，電波強度（Ｌｅｖｅｌ）１：−１００ｄｂＭ〜−８０ｄｂＭ，電波強度（Ｌｅｖｅｌ）２：−８０ｄｂＭ〜−６０ｄｂＭ，電波強度（Ｌｅｖｅｌ）３：−６０ｄｂＭ〜としている。
【００２５】
撮影条件判定テーブルを参照することによって、各種無線通信状態の条件（［アドバタイジングを検出した台数］，［ペアリング済み台数］，［最低の電波強度］，［最高の電波強度］等）に合致した各種撮影条件（［フレームレート（動画）／頻度（静止画）］，［撮影時間（動画）／回数（静止画）］，［ズーム倍率］，［絞り］等）が判定される。
【００２６】
具体的には、アドバタイジングパケットを受信した携帯端末２が２台あり、アドバタイジングパケットを受信した携帯端末２のうち、１台がペアリング済みであり、１台の携帯端末２の電波強度が「１」であり、もう１台の携帯端末２の電波強度が「３」であった場合には、［アドバタイジングを検出した台数：１台以上］，［ペアリング済み台数：１台以上］，［最低の電波強度：１以上］，［最高の電波強度：−］の無線通信状態の条件に合致するために、動画撮影の場合には［フレームレート：６０ｆｐｓ］となり、静止画の場合には［頻度：分５枚（１分間あたり５枚）］という撮影条件が判定される。
【００２７】
また、アドバタイジングパケットを受信した携帯端末２が５台あり、アドバタイジングパケットを受信した携帯端末２のうち、５台がペアリング済みであり、全ての携帯端末２の電波強度が「３」であった場合には、［アドバタイジングを検出した台数：１台以上］，［最低の電波強度：２以上］の無線通信状態の条件に合致するために、動画撮影の場合には［フレームレート：３０ｆｐｓ］，［撮影時間：最大１０分］となり、静止画の場合には［頻度：分１０枚（１分間あたり１０枚）］，［回数：最大３０枚］という撮影条件が判定される。撮像装置１では、判定された撮影条件で撮影が行われることになる。
【００２８】
このような撮影条件判定テーブルでは、ユーザによって任意に無線通信状態の条件と、撮影条件との組み合わせを選択することができる。また、モードによって予め選択された組み合わせを自動的に選択することができる。
【００２９】
図４は、図２の撮像装置１の機能的構成のうち、撮影処理を実行するための機能的構成を示す機能ブロック図である。
撮影処理とは、携帯端末２との無線通信状態に応じて撮影条件を設定して撮影を行う一連の処理をいう。
【００３０】
撮影処理を実行する場合には、図４に示すように、ＣＰＵ１１−１において、通信状態判定部５１と、撮影条件判定部５２と、撮影制御部５３と、が機能する。
【００３１】
また、記憶部１９の一領域には、撮影条件判定テーブル記憶部７１と、画像記憶部７２と、が設定される。
撮影条件判定テーブル記憶部７１には、撮影条件判定テーブルが記憶される。
画像記憶部７２には、静止画又は動画の画像のデータが記憶される。
【００３２】
通信状態判定部５１は、通信部２０−１における通信状態を判定する。
具体的には、通信状態判定部５１は、例えば、通信部２０−１における携帯端末２からのアドバタイジングパケットの受信の有無、通信部２０−１における無線通信状態（アドバタイジングパケットの受信台数、ペアリング済み台数、電波強度等）を判定することができる。
【００３３】
撮影条件判定部５２は、撮影条件判定テーブルに基づいて、撮影条件を判定する。
具体的には、撮影条件判定部５２は、例えば、通信状態判定部５１によって判定された無線通信状態（アドバタイジングパケットの受信台数、ペアリング済み台数、電波強度等）から、撮影条件判定テーブル記憶部７１に記憶される撮影条件判定テーブルを参照して、撮影条件（フレームレート／頻度、撮影時間／撮影枚数、ズーム倍率、絞り等）を判定することができる。
【００３４】
撮影制御部５３は、ユーザにより予め指定された記録画像種別（静止画又は動画）で撮影を行うように撮像部１６−１を制御する。
具体的には、撮影制御部５３は、例えば、撮影条件を設定し、設定した撮影条件で撮影を行うように撮像部１６−１を制御することができる。
【００３５】
図５は、図４の機能的構成を有する図２の撮像装置１が実行する撮影処理の流れを説明するフローチャートである。
撮影処理は、ユーザによる入力部１７−１への撮影処理開始の操作により開始される。
【００３６】
ステップＳ１１において、通信状態判定部５１は、通信部２０−１においてアドバタイジングパケットを受信したか否かを判定する。
【００３７】
ステップＳ１２において、通信状態判定部５１は、通信部２０−１における無線通信状態を判定する。通信状態判定部５１は、例えば、何台の携帯端末２のアドバタイジングパケットを受信したか、ペアリングしているか、接続強度はどの程度か等の無線通信状態を判定する。
【００３８】
ステップＳ１３において、撮影条件判定部５２は、判定した無線通信状態から、撮影条件判定テーブル記憶部７１に記憶される撮影条件判定テーブルを参照して、撮影条件を判定する。
【００３９】
ステップＳ１４において、撮影制御部５３は、判定した撮影条件において撮影を行うか否かを判定する。
撮影を行わない場合には、ステップＳ１４においてＮＯと判定されて、処理はステップＳ１２に戻る。
撮影を行う場合には、ステップＳ１４においてＹＥＳと判定されて、処理はステップＳ１３に進む。
【００４０】
ステップＳ１５において、撮影制御部５３は、判定された撮影条件で撮像部１６−１における撮影を行うように設定を行う。
【００４１】
ステップＳ１６において、撮影制御部５３は、設定した撮影条件で撮影を行うように撮像部１６−１を制御する。
【００４２】
ステップＳ１７において、通信状態判定部５１は、通信部２０−１における無線通信状態を測定し、無線通信状態に変更があったか否かを判定する。
無線通信状態に変更がない場合には、ステップＳ１６においてＮＯと判定されて、処理はステップＳ１６に戻る。
無線通信状態に変更があった場合には、ステップＳ１６においてＹＥＳと判定されて、処理はステップＳ１７に進む。
【００４３】
ステップＳ１８において、通信状態判定部５１は、通信部２０−１においてアドバタイジングパケットの受信がなくなったか否かを判定する。
アドバタイジングパケットの受信がなくなっていない場合には、ステップＳ１７においてＮＯと判定されて、処理はステップＳ１３に戻る。
アドバタイジングパケットの受信がなくなった場合には、ステップＳ１７においてＹＥＳと判定されて、処理はステップＳ１９に進む。
【００４４】
ステップＳ１９において、撮影制御部５４は、撮影を終了するように撮像部１６−１を制御する。撮影された画像は、画像記憶部７２に記憶される。
その後、撮影処理は終了する。
【００４５】
ＢＬＥ通信では、１台のセントラルに対して複数のペリフェラルを同時に通信接続することが可能なため、例えば、ユーザが撮影操作を行う目的で所持する携帯端末で複数のカメラを同時に制御するような場合には、カメラ側をペリフェラル、携帯端末２であるタブレット端末をセントラルとする場合が多い。
【００４６】
また、カメラと携帯端末がそれぞれ１台の場合においても、上記のようにカメラ側をペリフェラル、携帯端末２であるタブレット端末をセントラルとしたままで、携帯端末２との無線通信状態に応じてカメラの撮影条件を制御することは可能である。
本実施形態においては、複数の専用端末（携帯端末）によりカメラを同時に制御する場合などを考慮し、その専用端末（携帯端末）がＢＬＥ通信のペリフェラルとなり、必要に応じてＢＬＥの信号を送信し、カメラはＢＬＥ通信のセントラルとして、その専用端末からのＢＬＥ信号を受信するように構成する。そして、カメラにおいて専用端末のＢＬＥ信号から端末名や電波強度などの情報を用いてカメラの撮影処理制御を行うように構成する。
【００４７】
＜前提条件＞
撮像装置１であるカメラは、ＢＬＥを搭載してセントラルとして動作する機能を有している。
携帯端末２である専用端末は、ＢＬＥペリフェラルとしてＢＬＥのアドバタイジング信号を発信する機能を有している。
カメラと専用端末は、一度ＢＬＥの接続処理（ペアリング）を行うことで、以後のその端末のＢＬＥアドバタイジング信号の識別を可能にできるものとする。
カメラ一台に対して複数の専用端末（例えば、上限５つなど）の接続を可能にするように構成してもよい。
【００４８】
ＢＬＥ  電波強度Ｌｅｖｅｌに応じたＨＳ動画ｆｐｓ変更撮影
１）カメラを専用モードなどでＢＬＥ待機状態（ＢＬＥ  Ｓｃａｎ）とする。
２）専用端末のＢＬＥ  アドバタイジング信号を検知したらＨＳ動画撮影を開始する。
３）その後は電波強度のＬｅｖｅｌによって動画として記録するｆｐｓを変化させる。
例）電波強度（Ｌｅｖｅｌ）０：３０ｆｐｓとし、電波強度（Ｌｅｖｅｌ）１：６０ｆｐｓとし、電波強度（Ｌｅｖｅｌ）２：１２０ｆｐｓとし、電波強度（Ｌｅｖｅｌ）３：２４０ｆｐｓとする。
基本的に２４０ｆｐｓでキャプチャして、電波強度（Ｌｅｖｅｌ）に応じて間引く処理を行うことで実現可能となる。
他の例）ＢＬＥ信号を検出できなくなったときは、動画の記録を止める。その後、再び検出したら撮影再開するように構成してもよい。
連写撮影に転用してもよい。
電波強度（Ｌｅｖｅｌ）０：１ｆｐｓとし、電波強度（Ｌｅｖｅｌ）１：３ｆｐｓとし、電波強度（Ｌｅｖｅｌ）：５ｆｐｓとし、電波強度（Ｌｅｖｅｌ）３：１０ｆｐｓとする。
他の例）複数の専用端末の信号を使って撮影処理をする。
１）カメラにおいて専用モード（複数ＢＬＥ撮影）でＢＬＥ待機状態（ＢＬＥ：Ｓｃａｎ）とする。
２）専用端末のＢＬＥのアドバタイジング信号を検知したら、その状況により撮影を制御する。
３）制御例としては、５つの信号を受け付け可能な状態としておき、５つの信号をすべてＬｅｖｅｌ２以上で検出した際に連写撮影を行って、記録する。
その他にも、上述した制御以外にも様々な撮影制御に適用可能である。
【００４９】
即ち、本実施形態においては、ＢＬＥの電波強度によりカメラの撮影を制御することにより、カメラと被写体の距離変化に応じて、様々な撮影制御を行うことを可能にする撮影システムとして構成する。
したがって、撮影システムでは、ＢＬＥの電波強度というカメラにおいて全く新しい撮影トリガーを用いることで新しい撮影スタイルや使用方法を搭載することが可能になり、カメラの新しい付加価値を提供することができる。
【００５０】
以上のように構成される撮像装置１は、被写体と共に移動する携帯端末２と無線通信可能な撮像装置である。
また、撮像装置１は、通信状態判定部５１と、撮影制御部５３と、を備える。
通信状態判定部５１は、携帯端末２との間で行われる無線通信の電波強度を含む無線通信状態を特定する。
撮影制御部５３は、通信状態判定部５１によって特定された電波強度に応じて当該撮像装置による撮影タイミング以外の撮影条件を制御する。
したがって、撮像装置１では、簡単な構成で、適切な距離で撮影を行うことができると共に、より効果的な撮影を行うことができる。
【００５１】
撮影制御部５３は、通信状態判定部５１によって特定された無線通信状態に応じて撮影タイミングを決定するとともに、この特定された無線通信状態が示す電波強度に応じて、撮影タイミング以外の撮影条件を複数段階で制御する。
したがって、撮像装置１では、簡単な構成で、適切な距離で撮影を行うことができると共に、さらに効果的な撮影を行うことができる。
【００５２】
撮影制御部５３は、通信状態判定部５１によって特定された電波強度に応じて、撮影頻度または撮影回数の撮影条件を制御する。
したがって、撮像装置１では、簡単な構成で、適切な距離で撮影を行うことができると共に、より効果的な撮影を行うことができる。
【００５３】
通信状態判定部５１は、複数の携帯端末２の各々から発せられる無線信号の電波強度を特定する。
撮影制御部５３は、通信状態判定部５１によって特定された複数の電波強度に応じて撮影条件を制御する。
したがって、撮像装置１では、簡単な構成で、適切な距離で撮影を行うことができると共に、より効果的な撮影を行うことができる。
【００５４】
撮影制御部５３は、複数の携帯端末２の各々から発せられる複数の無線信号の電波強度に応じて撮影頻度または撮影回数の撮影条件を制御する。
したがって、撮像装置１では、簡単な構成で、適切な距離で撮影を行うことができると共に、より効果的な撮影を行うことができる。
【００５５】
撮影制御部５３は、複数の携帯端末２のうちの所定以上が所定以上の電波強度である場合に、撮影頻度または撮影回数が多くなるように制御する。
したがって、撮像装置１では、簡単な構成で、適切な距離で撮影を行うことができると共に、より効果的な撮影を行うことができる。
【００５６】
また、撮像装置１は、ＣＰＵ１１−１において、通信部２０−１を介して、予め無線通信を行う携帯端末２を登録する。
通信状態判定部５１は、無線通信状態として、無線通信の電波強度に加えて、無線信号を発する端末装置の台数、または無線信号を発する携帯端末２の登録状態を特定する。
撮影制御部５３は、通信状態判定部５１によって特定された無線通信の電波強度に加えて、無線信号を発する端末装置の台数、または無線信号を発する携帯端末２の登録状態に応じて、撮影タイミング以外の撮影条件を複数段階で制御する。
したがって、撮像装置１では、登録状態に応じて、より効果的な撮影を行うことができる。
【００５７】
なお、本発明は、上述の実施形態に限定されるものではなく、本発明の目的を達成できる範囲での変形、改良等は本発明に含まれるものである。
【００５８】
上述の実施形態では、撮像装置１がＢＬＥ接続におけるセントラルとして機能し、携帯端末２がＢＬＥ接続におけるペリフェラルとして機能する場合を例として説明したが、撮像装置１がＢＬＥ接続におけるペリフェラルとして機能し、携帯端末２がＢＬＥ接続におけるセントラルとして機能する場合に適用してもよい。その場合、通信部２０−１によるＢＬＥ接続判定処理は、撮像装置１が送信するアドバタイジング信号に携帯端末２が応答することで通信接続を開始する。
【００５９】
また、上述の実施形態では、複数の撮像装置１を設けるように構成してもよい。この場合、携帯端末２からのそれぞれの電波強度に応じて、撮像装置１各々の撮影条件を設定するように構成してもよいし、複数の撮像装置１各々での携帯端末２からの電波強度から、複数の撮像装置１全体の撮影条件を設定するように構成してもよい。
具体的には、通信状態判定部５１は、端末装置から一斉同報通信される無線信号を他の撮像装置と共に受信した際の電波強度を特定する。そして、撮影制御部５３は、通信状態判定部５１によって特定された電波強度に応じて撮影条件を制御するように構成することができる。
【００６０】
また、上述の実施形態では、電波強度の変化を考慮して撮影の有無や撮影条件の設定を行うようにしてもよい。例えば、電波強度が急激に低下／上昇した場合には、携帯端末２と撮像装置１との間に遮蔽物がある／なくなった可能性が高いため、携帯端末２が写らない／写る可能性があるため撮影を行わない／行う等の撮影動作を行うように構成することができる。
【００６１】
また、上述の実施形態では、本発明が適用される撮像装置１は、デジタルカメラを例として説明したが、特にこれに限定されない。
例えば、本発明は、撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６２】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００６３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６４】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【００６５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００６６】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００６７】
以下に、本願の出願当初の特許請求の範囲に記載された発明を付記する。
［付記１］
被写体と共に移動する端末装置と無線通信可能な撮像装置であって、
前記端末装置との間で行われる無線通信の電波強度を含む無線通信状態を特定する特定手段と、
前記特定手段によって特定された電波強度に応じて当該撮像装置による撮影タイミング以外の撮影条件を制御する制御手段と、
を備えることを特徴とする撮像装置。
［付記２］
前記制御手段は、前記特定手段によって特定された無線通信状態に応じて撮影タイミングを決定するとともに、この特定された無線通信状態が示す電波強度に応じて、撮影タイミング以外の撮影条件を複数段階で制御する、
ことを特徴とする付記１に記載の撮像装置。
［付記３］
前記制御手段は、前記特定手段によって特定された電波強度に応じて、撮影頻度または撮影回数の撮影条件を制御する、
ことを特徴とする付記１又は２に記載の撮像装置。
［付記４］
前記特定手段は、複数の端末装置の各々から発せられる無線信号の電波強度を特定し、
前記制御手段は、前記特定手段によって特定された複数の電波強度に応じて前記撮影条件を制御する、
ことを特徴とする付記１乃至３の何れか１つに記載の撮像装置。
［付記５］
前記制御手段は、複数の端末装置の各々から発せられる複数の無線信号の電波強度に応じて撮影頻度または撮影回数の撮影条件を制御する、
ことを特徴とする付記４に記載の撮像装置。
［付記６］
前記制御手段は、複数の端末装置のうちの所定以上が所定以上の電波強度である場合に、撮影頻度または撮影回数が多くなるように制御する、
ことを特徴とする付記５に記載の撮像装置。
［付記７］
予め無線通信を行う端末装置を登録する登録手段を更に備え、
前記特定手段は、前記無線通信状態として、無線通信の電波強度に加えて、無線信号を発する端末装置の台数、または無線信号を発する端末装置の前記登録手段による登録状態を特定し、
前記制御手段は、前記特定手段によって特定された無線通信の電波強度に加えて、無線信号を発する端末装置の台数、または無線信号を発する端末装置の前記登録手段による登録状態に応じて、撮影タイミング以外の撮影条件を複数段階で制御する、
ことを特徴とする付記１乃至６の何れか１つに記載の撮像装置。
［付記８］
前記特定手段は、前記端末装置から一斉同報通信される無線信号を他の撮像装置と共に受信した際の電波強度を特定し、
前記制御手段は、前記特定手段によって特定された電波強度に応じて前記撮影条件を制御する、
ことを特徴とする付記１乃至７の何れか１つに記載の撮像装置。
［付記９］
被写体と共に移動する端末装置と、当該端末装置と無線通信可能な撮像装置と、を含む撮影システムであって、
前記端末装置と前記撮像装置との間で行われる無線通信の電波強度を含む無線通信状態を特定し、
特定した電波強度に応じて、前記撮像装置による撮影タイミング以外の撮影条件を制御する、
ことを特徴とする撮影システム。
［付記１０］
被写体と共に移動する端末装置と無線通信可能な撮像装置で実行される撮影制御方法あって、
前記端末装置との間で行われる無線通信の電波強度を含む無線通信状態を特定する特定処理と、
前記特定処理によって特定された電波強度に応じて当該撮像装置による撮影タイミング以外の撮影条件を制御する制御処理と、
を含むことを特徴とする撮影制御方法。
［付記１１］
被写体と共に移動する端末装置と無線通信可能な撮像装置を制御するコンピュータに、
前記端末装置との間で行われる無線通信の電波強度を含む無線通信状態を特定する特定機能と、
前記特定機能によって特定された電波強度に応じて当該撮像装置による撮影タイミング以外の撮影条件を制御する制御機能と、
を実行させることを特徴とするプログラム。
【符号の説明】
【００６８】
１・・・撮像装置，２・・・携帯端末，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・通信状態判定部，５２・・・撮影条件判定部，５３・・・撮影制御部，７１・・・撮影条件判定テーブル記憶部，７２・・・画像記憶部，Ｓ・・・撮影システム
【図１】
2018056779.tif 000003
【図２】
2018056779.tif 000004
【図３】
2018056779.tif 000005
【図４】
2018056779.tif 000006
【図５】
2018056779.tif 000007